(57)【要約】【課題】  施工及びメンテナンスの簡略化をはかり、シーリング材の色面の制約を無くし、その管理を容易化してコストダウンを図ることを課題とする。【解決手段】サッシ部と該サッシ部の周囲に配される外壁材との隙間に配されるシーリングレス化粧部材であって、カバー部とサッシ部とからなり、前記カバー部に第１及び第２の係止部が、更に、前記サッシ部に第１及び第２の係止受部が夫々設けられ、前記第１の係止部及び第１の係止受部と前記第２の係止部及び第２の係止受部とを互いに係止されることにより、サッシ部と外壁材との隙間をシーリングすることを特徴とするシーリングレス化粧部材である。【選択図】図１
0003137757.tif 000002
【実用新案登録請求の範囲】
【請求項１】
サッシ部と該サッシ部の周囲に配される外壁材との隙間に配されるシーリングレス化粧部材であって、
カバー部とサッシ部とからなり、
前記カバー部に第１及び第２の係止部が、更に、前記サッシ部に第１及び第２の係止受部が夫々設けられ、
前記第１の係止部及び第１の係止受部と前記第２の係止部及び第２の係止受部とを互いに係止されることにより、サッシ部と外壁材との隙間をシーリングすることを特徴とするシーリングレス化粧部材。
【請求項２】
前記カバー部は、外壁材表面に当接される裏面部と立設部と、
サッシ部前方に配される前板部とを有し、更に前記第１係止部と前記第２係止部は、互いに平行に配置された２つの係止片として形成されていることを特徴とする請求項１記載のシーリングレス化粧部材。
【請求項３】
前記２つの係止片は、共に、雨水を排出するための孔が形成されていることを特徴とする請求項２記載のシーリングレス化粧部材。
【考案の詳細な説明】
【技術分野】
【０００１】
本考案は、外壁開口部の施工に使用されるシーリングレス部材に関するものである。
【背景技術】
【０００２】
従来の外壁開口部の施工構造は、例えば、図５に示すようにサッシ部３を柱９又は間柱に取り付けた後、胴縁６を介して外壁材４を取り付け、この外壁材４とサッシ部３との隙間に止水と伸縮緩和のために１０ｍｍ程度の湿式シーリング材１１を充填して、サッシ部３と外壁材４の取り合い部の防水処理を行うものであり、湿式シーリング材１１が表面に露出するようになっていた。
【０００３】
しかしながら、上記のような施工構造によると、外壁材４と湿式シーリング材１１との質感の違いによる意匠性の低下を防ぐため、外壁材４と略同色の湿式シーリング材１１の必要性があり、湿式シーリング材１１の施工の場合にバックアップ材１２、プライマー、マスキングテープ、シーリング充填及びならしの手間の作業性の悪さがあり、多くの解決すべき問題を含んでいた。また、経年使用するとの湿式シーリング材１１が切れたり、汚れを伴い劣化し、メンテナンスがどうしても必要であった。
【０００４】
一方、湿式シーリングを使用せずに、サッシ部と外壁材との隙間に目地用役物として、変形した曲がりのある挿入片のアルミ製硬質部材を差し込み、ゴム製弾性の軟質部材で包み込んで、隙間を埋める方法が開示されている。（特許文献１）
【０００５】
更に別な方法として、サッシ部と外壁材との隙間のサッシ部上部に、止水・見切り材として、シール兼水抜き穴面とサッシ部接触面と見切り面で構成し、流れ落ちる雨水を水抜き穴の面から排出する見切り構造が開示されている。（特許文献２）
【特許文献１】特開２００２−９７８４７公報
【特許文献２】特開平１０−１４０６７６公報
【考案の開示】
【考案が解決しようとする課題】
【０００６】
しかしながら、上述したアルミ製の硬質部材の挿入片は、１箇所に施工しただけでは安定性がなく、また、軟質部材のＥＰＤＭや合成樹脂やゴムでは、外壁材４の木口との隙間に毛細管現象により裏面に雨水が回り込み、外壁材４の木口や裏面から雨水が吸水されるので、外壁材４の劣化が進むことが予想される。また、上述した見切り材でも同様に、毛細管現象が進み外壁材４の劣化が予想される。接合する外壁材としては、木口が完全に防水されており、挿間された部材からは離れている方が、外壁材にとって良好な状態といえる。
【０００７】
また、施工及びメンテナンスの簡略化をはかり、シーリング材の色面の制約を無くし、その管理を容易化してコストダウンを図ることを課題とする。
【課題を解決するための手段】
【０００８】
上記の目的を達成するために、本請求項１に記載の考案は、サッシ部と該サッシ部の周囲に配される外壁材との隙間に配されるシーリングレス化粧部材であって、カバー部とサッシ部とからなり前記カバー部に第１及び第２の係止部が、更に、前記サッシ部に第１及び第２の係止受部が夫々設けられ前記第１の係止部及び第１の係止受部と前記第２の係止部及び第２の係止受部とを互いに係止されることにより、サッシ部と外壁材との隙間をシーリングすることを特徴とするシーリングレス化粧部材である。
本請求項２に記載の考案は、前記カバー部は、外壁材表面に当接される裏面側立設部と、サッシ部前方に配される前板部２ｅとを有し、更に前記第１係止部２ａ２ａと前記第２係止部２ｂは、互いに平行に配置された２つの係止片として形成されていることを特徴とする請求項１記載のシーリングレス化粧部材である。本請求項３に記載の考案は、前記２つの係止片は、共に、雨水を排出するための孔が形成されていることを特徴とする請求項２記載のシーリングレス化粧部材である。
【考案の効果】
【０００９】
本考案のシーリングレス化粧部材１を使用すれば、外壁材４の木口に十分な空間があるので、外壁材４の伸縮に自由に追従でき、外側からは見ることが出来ないので、外観意匠上すっきりした形状の構造となる。
また、サッシ部３外側に、第１係止受部と第２係止受部があるので、外側からの雨水や結露水は、堰き止められ内部に進入しにくくなり、また、進入した雨水も第１係止部と第２係止部の有孔部から外に排出される。また、サッシ部３の左右の縦の第１係止受部と第２係止受部を伝わり、サッシ部３下部に流れ落ちる。また、接合部分の施工及びメンテナンスを従来の湿式シーリング方式に比べ大幅に簡略化することができると共に、外壁材４の端部が表面に露出せず、色を外壁材４に合わせる必要がなくなるため、シーリング材の色に対しての制約を無くし、その管理を容易化してコストダウンを図ることができる。
【考案を実施するための最良の形態】
【００１０】
以下、図面を参照しながら本考案について詳細に説明する。
図１は、本考案にかかるシーリングレス化粧部材のサッシ部上部の施工構造を示す断面図である。
図２は、本考案にかかるシーリングレス化粧部材のサッシ部下部の施工状態を示す断面図である。
図３は、本考案にかかるシーリングレス化粧部材のサッシ部左右部の施工状態を示す断面図である。
図４、本考案にかかるシーリングレス化粧部材の施工状態の斜視図である。
【００１１】
（シーリングレス化粧部材）
図１に示すように、シーリングレス化粧部材１は、係止部のあるカバー部２と係止受部を有するサッシ部３の２つの部材とからなる。
【００１２】
（カバー部）
図１に示すように、カバー部２は、サッシ部３の外側の上部に係る第１係止部２ａの係止片があり、サッシ部３の外側のフィンに第２係止部２ｂの係止片がある。これにより、第１係止部２ａと第２係止部２ｂが平行して係止されるので、安定したコ型形状となり安定した状態になる。また、外壁材４の表面と接する裏面側２ｃ立設部２ｄと前板部２ｅがあり、前板部２ｅの表面側が外壁材４の木口を覆い隠す形状となっている。このため、外壁材４が吸水や紫外線により伸縮しても、表面側の前板部２ｅからは、見えないため意匠面を気にすることはなくなる。また、外壁材４の木口には、防水シーラを塗布するので木口からの吸水もなく外壁材４自体の伸縮に影響がなくなる。更に、第１係止部２ａと第２係止部２ｂが平行して係止され、外壁材４の表面と接する裏面側と立設部と前板部２ｅがあることにより、中空部分が形成されるため強度的にもアップして押出形成が容易になる。なお、中空部は、様々な形状に加工できるのでサッシ部３の装飾用として変形させても全く問題はない。例えば、中空部２ｃ、２ｄ、２ｅが傾斜したり変形してもよい。
【００１３】
（サッシ部）
サッシ部３の外側に、第１係止受部３ａと第２係止受部３ｂが形成されており、前記カバー部２の第１係止部２ａと第２係止部２ｂとが、それぞれ係止して結合される。また、雨水に対しても、第１係止受部３ａと第２係止受部３ｂとがそれぞれ防波堤のように働き、雨水を外側に押し流す効果がある。また、雨水が浸入しても、カバー部２の第１係止部２ａと第２係止部２ｂには、有孔部２ａ１と２ｂ１があるので外側に排出される。
【００１４】
（外壁材４）
外壁施工の対象とする外壁材４は、木片、木質パルプ、木質繊維やパルプ等の木質補強材を添加したセメント板（木質セメント板）、セメント押出成形板、パルプセメント板、石膏板、ケイ酸カルシウム板、炭酸マグネシウム板、セメント板等がある。更に、外壁材４の木口４ａには、施工のための切断後に切断面に防水シーラを塗布して木口の防水処理を行うことが必要である。
【００１５】
(実施形態１)
図１は、サッシ部３上部の施工状態を示す。サッシ部３の上部の外側に、鉤状の第１係止受部３ａと垂直な第２係止受部３ｂがあり、第１係止受部３ａとカバー部２の第１係止部２ａとが係止し、垂直な第２係止受部３ｂとカバー部２の第２係止部２ｂとが係止する。サッシ部３の内側から内装側胴縁１０にビス８ａで内側に固定し、サッシ部３のフィン３ｃの間柱９に向かってビス８ｂで固定する。
次に、防水シート７をサッシ部３の第２係止受部３ｂまで貼り付け、防水テープ（図示せず）で隙間を埋める。
次に、胴縁６を躯体である間柱９に固定し、外壁材４を留付金具５で胴縁６に固定する。この時、外壁材４の木口４ａに防水シーラを十分塗布しておく。また、外壁材４の伸縮する隙間Ａを形成しておく。次に、カバー部２を外壁材４とサッシ部３との隙間に差し込み、カバー部２の第１係止部２ａの係止片をサッシ部３の第１係止受部３ａに係止させ、同時に、カバー部２の第２係止部２ｂの係止片をサッシ部３の第２係止受部３ｂに係止させる。
これにより、カバー部２と外壁材４の隙間から進入した雨水は、第２係止部２ｂの有孔部２ｂ１と第１係止部２ａの有孔部２ａ１より、外側に流水する。また、胴縁６を使用せずスペーサーを使用したり、通気工法で胴縁を使用せず留付金具５が胴縁６の代用として使用しても全く問題はない。
【００１６】
(実施形態２)
図２に、サッシ部３下部の施工状態を示す。実施形態１と同様に、サッシ部３の下部の外側に、第１係止受部３ａと第２係止受部３ｂがあり、サッシ部３の内側から内装側胴縁１０にビス８ａで内側に固定し、サッシ部３のフィン３ｃの間柱９に向かってビス８ｂで固定する。
次に、実施形態１と同様に防水シート７をサッシ部３の第２係止受部３ｂまで貼り付け、防水テープ（図示せず）で隙間を埋める。
次に、胴縁６を躯体である間柱９に固定し、外壁材４を留付金具５で胴縁６に固定する。この時、外壁材４の木口４ａに防水シーラを十分塗布しておき、外壁材４の伸縮する隙間Ａを形成しておく。次に、カバー部２を外壁材４とサッシ部３との隙間に差し込み、カバー部２の第１係止部２ａの係止片をサッシ部３の第１係止受部３ａに係止させ、同時に、カバー部２の第２係止部２ｂの係止片をサッシ部３の第２係止受部３ｂに係止させる。
特に相違する点としては、サッシ部３下部に施工した状態では、サッシ部３とカバー部２と外壁材４の隙間から進入した雨水は、カバー部２の裏面部２ｃと底部２ｆの有孔部の２ｃ１、２ｆ１より外側に流水する。
【００１７】
(実施形態３)
図３に、サッシ部３左右部の施工状態を示す。実施形態１、２と同様であるので、省略するが、特に相違する点としては、カバー部２の第１係止部２ａと第２係止部２ｂには、有孔部がなくサッシ部３とカバー部２と外壁材４の隙間から進入した雨水は、カバー部２の第１係止部２ａと第２係止部２ｂを伝わり図２のサッシ部３下部に流水し、排出される。
【００１８】
上述した各実施形態は、図番に沿って順に説明したが、通常、図２に示したサッシ３の下部を施工した後、図３の左右部をそれぞれ施工し、図１のサッシ部３の上部を最後に施工するものとする。
【産業上の利用可能性】
【００１９】
従来の、サッシ部と外壁材にシーリング材を使用した場合と違い、乾式のカバー部を使用するので、他品種なシーリング材を必要とせず、メンテナンスも必要としないので、大幅な施工の削減が可能となり、意匠的にもすっきり仕上げることが可能となる。
【図面の簡単な説明】
【００２０】
【図１】本考案にかかるシーリングレス化粧部材のサッシ部上部の施工構造を示す断面図である。
【図２】本考案にかかるシーリングレス化粧部材のサッシ部下部の施工状態を示す断面図である。
【図３】本考案にかかるシーリングレス化粧部材のサッシ部左右部の施工状態を示す断面図である。
【図４】本考案にかかるシーリングレス化粧部材１の施工状態を示す斜視図である。
【図５】従来方法のサッシ施工構造を示す断面図である。
【符号の説明】
【００２１】
１    シーリングレス化粧部材１
２      カバー部
２ａ    第１係止部
２ａ１  第１係止部の有孔部
２ｂ    第２係止部
２ｂ１  第２係止部の有孔部
２ｃ    裏面部
２ｃ１  裏面部の有孔部
２ｄ    立設部
２ｅ    前板部
２ｆ    底部
２ｆ１  底部の有孔部
３      サッシ部
３ａ    第１係止受部
３ｂ    第２係止受部
３ｃ    サッシ部フィン
３ｄ    サッシ部内側
４      外壁材４
４ａ    外壁材４の木口
５      留付金具
６      胴縁
７      防水シート
８ａ,８ｂ  ビス
９      間柱
１０    内装側胴縁
１１    シーリング材
１２    バックアップ材
Ａ      空間
【図１】
0003137757.tif 000003
【図２】
0003137757.tif 000004
【図３】
0003137757.tif 000005
【図４】
0003137757.tif 000006
【図５】
0003137757.tif 000007